【手続補正書】
【提出日】平成17年3月10日(2005.3.10)
【手続補正１】
【補正対象書類名】特許請求の範囲
【補正対象項目名】全文
【補正方法】変更
【補正の内容】
【特許請求の範囲】
【請求項１】
会社の役員会データの処理システムであって、
複数の役員会の役員会メンバーに関連するパラメータを記憶する役員会メンバーストア
と、
複数の役員会の役員会メンバーおよび／または個々の役員会メンバーに関連する前記パ
ラメータを表示するユーザインタフェースを作成して、役員会同士の役員会メンバーレベ
ルでの、および／または役員会メンバー同士の比較を可能にするユーザインタフェースジ
ェネレータと、を備える、会社の役員会データの処理システム。
【請求項２】
前記ユーザインタフェースジェネレータは、少なくとも１つの役員会の各メンバーの前
記パラメータおよび／または前記少なくとも１つの役員会のメンバーの単数または複数の
前記パラメータの平均値を表示するように適合されている請求項１に記載の会社の役員会
データの処理システム。
【請求項３】
役員会または役員会メンバーのグループのパラメータを処理して、単数または複数のパ
ラメータ総計、単数または複数のパラメータ平均値および単数または複数のパラメータ偏
差値の少なくとも１つを含む処理済パラメータを求める役員会パラメータプロセッサをさ
らに備え、前記ユーザインタフェースジェネレータは、少なくとも１つの役員会または役
員会メンバーのグループについて前記処理済パラメータの少なくとも１つを表示するユー
ザインタフェースを作成して、少なくとも１つの役員会または少なくとも１人の役員会メ
ンバーとの比較を可能にするように適合されている請求項１または請求項２に記載の会社
の役員会データの処理システム。
【請求項４】
前記ユーザインタフェースジェネレータは、役員会メンバーまたは役員会のグループに
関連する前記パラメータの単数または複数の総計、平均値および偏差値の少なくとも１つ
を含む処理済パラメータを表示する前記ユーザインタフェースを作成して、少なくとも１
つの役員会または少なくとも１人の役員会メンバーとの比較を可能にするように適合され
ている請求項１または請求項２に記載の会社の役員会データの処理システム。
【請求項５】
前記パラメータの相対値を基に役員会のグループのメンバーおよび／または役員会メン
バーをランク付けするランキングプロセッサを含み、
前記ユーザインタフェースジェネレータは、前記グループの前記役員会および／または
役員会メンバーの前記パラメータを表示するユーザインタフェースを作成してランキング
を示すように適合されている請求項１または請求項２に記載の会社の役員会データの処理
システム。
【請求項６】
前記処理済パラメータの相対値を基に役員会および／または役員会メンバーのグループ
をランク付けするランキングプロセッサを含み、
前記ユーザインタフェースジェネレータは、前記役員会および／または役員会メンバー
のグループの前記処理済パラメータを表示するユーザインタフェースを作成してランキン
グを示すように適合されている請求項３または請求項４に記載の会社の役員会データの処
理システム。
【請求項７】
前記役員会メンバーのグループは、ピアグループとして指定された、ユーザが選択した
、および／または事前に定義された役員会または役員会メンバーのグループを含む請求項
３ないし６のいずれか１項に記載の会社の役員会データの処理システム。
【請求項８】
ピアグループに含める少なくとも１つの役員会および／または少なくとも１人の役員会
メンバーのユーザ選択を受け入れるユーザセレクタ手段をさらに備え、
前記役員会または役員会メンバーのグループは、ピアグループとして指定された、ユー
ザが選択した役員会または役員会メンバーのグループを含み、
前記パラメータプロセッサは、ピアグループの構成要素のパラメータを処理して、単数
または複数のピアグループパラメータ総計、単数または複数のピアグループパラメータ平
均値および単数または複数のピアグループパラメータ偏差値の少なくとも１つを求めるよ
うに適合されており、
前記ユーザインタフェースジェネレータは、前記処理済ピアグループパラメータの少な
くとも１つを表示するユーザインタフェースを作成するように適合されている請求項３ま
たは請求項７に記載の会社の役員会データの処理システム。
【請求項９】
前記ユーザセレクタ手段は、少なくとも１つの役員会のピアグループと比較する少なく
とも１つの役員会のユーザ選択を受け入れるようになっており、前記ユーザインタフェー
スジェネレータは、前記少なくとも１つの選択された役員会のメンバーに関連する前記パ
ラメータを表示するユーザインタフェースを作成して、前記または各役員会を分析対象と
することを可能にするように適合されている請求項８に記載の会社の役員会データの処理
システム。
【請求項１０】
前記ユーザインタフェースジェネレータは、前記少なくとも１つの選択された役員会の
個々のメンバーに関連する前記パラメータを表示するユーザインタフェースを作成するよ
うに適合されている請求項８または請求項９に記載の会社の役員会データの処理システム
。
【請求項１１】
前記ユーザセレクタ手段は、前記役員会メンバーのピアグループと比較する少なくとも
１人の役員会メンバーのユーザ選択を受け入れるようになっており、前記ユーザインタフ
ェースジェネレータは、前記少なくとも１人の選択された役員会メンバーに関連する前記
パラメータを表示するユーザインタフェースを作成して、前記少なくとも１人の選択され
た役員会メンバーを分析対象とすることを可能にするように適合されている請求項８に記
載の会社の役員会データの処理システム。
【請求項１２】
単数または複数のユーザが選択したピアグループのデータを記憶するピアグループデー
タストアをさらに備え、
前記ユーザインタフェースジェネレータは、前記記憶されているピアグループデータを
基に既存のピアグループのリストを表示するユーザインタフェースを作成するように適合
されており、
前記ユーザセレクタ手段は、前記リストからの単数または複数のピアグループのユーザ
選択を受け入れるようになっており、
前記ユーザインタフェースジェネレータは、前記選択されたピアグループの少なくとも
１つについて前記処理済パラメータの少なくとも１つを表示するユーザインタフェースを
作成するように適合されている請求項８ないし１１のいずれか１項に記載の会社の役員会
データの処理システム。
【請求項１３】
ユーザがピアグループの構成要素を修正することを可能にする比較グループ修正手段を
さらに備える請求項８ないし１２のいずれか１項に記載の会社の役員会データの処理シス
テム。
【請求項１４】
前記比較グループ修正手段は、ユーザがあるピアグループの単数または複数の構成要素
を別のピアグループにコピーすることを可能にするように適合されている請求項１３に記
載の会社の役員会データの処理システム。
【請求項１５】
ユーザが特定の会社または役員会メンバーの名前を入力することによって前記役員会メ
ンバーストア中の特定の役員会を検索することを可能にするようになっている検索手段を
さらに備える請求項８ないし１４のいずれか１項に記載の会社の役員会データの処理シス
テム。
【請求項１６】
前記検索手段は、ユーザが事前に定義されたリストから単数または複数のパラメータを
選択することによって前記役員会メンバーストア中の特定の役員会を検索することを可能
にするように適合されている請求項１５に記載の会社の役員会データの処理システム。
【請求項１７】
ピアグループを構成する役員会および／または役員会メンバーの事前に定義されたグル
ープおよび前記ピアグループに関連するパラメータを記憶するストアをさらに備え、
前記ユーザインタフェースジェネレータは、前記事前に定義されたピアグループのリス
トを表示するユーザインタフェースを作成するように適合されており、
該システムは、前記リストからの単数または複数の前記事前に定義されたピアグループ
のユーザ選択を受け入れるユーザセレクタ手段をさらに備え、
前記ユーザインタフェースジェネレータは、前記選択された事前に定義されたピアグル
ープについて前記記憶されている事前に定義されたピアグループ関連パラメータの少なく
とも１つを表示するユーザインタフェースを作成するように適合されている請求項１ない
し１６のいずれか１項に記載の会社の役員会データの処理システム。
【請求項１８】
前記記憶されている事前に定義されたピアグループ関連パラメータは、単数または複数
のグループパラメータ総計、単数または複数のグループパラメータ平均値および単数また
は複数のグループパラメータ偏差値の少なくとも１つに関連する請求項１７に記載の会社
の役員会データの処理システム。
【請求項１９】
会社の役員会データの処理方法であって、
複数の役員会の役員会メンバーに関連するパラメータを記憶すること、および
複数の役員会の役員会メンバーおよび／または個々の役員会メンバーに関連する前記パ
ラメータを表示するユーザインタフェースを作成することであって、役員会同士の役員会
メンバーレベルでの、および／または役員会メンバー同士の比較を可能にする、作成する
こと、を含む、会社の役員会データの処理方法。
【請求項２０】
前記ユーザインタフェースは、少なくとも１つの役員会の各メンバーの前記パラメータ
および／または前記少なくとも１つの役員会の前記メンバーの単数または複数の前記パラ
メータの平均値を表示する請求項１９に記載の会社の役員会データの処理方法。
【請求項２１】
役員会または役員会メンバーのグループのパラメータを処理することであって、それに
よって、単数または複数のパラメータ総計、単数または複数のパラメータ平均値および単
数または複数のパラメータ偏差値の少なくとも１つを求める、処理することをさらに含み
、前記ユーザインタフェースは、少なくとも１つの役員会または役員会メンバーのグルー
プについて前記処理済パラメータの少なくとも１つを表示して、少なくとも１つの役員会
または少なくとも１人の役員会メンバーとの比較を可能にする請求項１９または請求項２
０に記載の会社の役員会データの処理方法。
【請求項２２】
前記ユーザインタフェースは、役員会メンバーまたは役員会のグループに関連する前記
パラメータの単数または複数の総計、平均値および偏差値の少なくとも１つを表示して、
少なくとも１つの役員会または少なくとも１人の役員会メンバーとの比較を可能にする請
求項１９または請求項２０に記載の会社の役員会データの処理方法。
【請求項２３】
前記パラメータの相対値を基に役員会のグループのメンバーおよび／または役員会メン
バーをランク付けすることを含み、
前記ユーザインタフェースを作成することは、前記グループの前記役員会および／また
は役員会メンバーの前記パラメータを表示してランキングを示す請求項１９または請求項
２０に記載の会社の役員会データの処理方法。
【請求項２４】
前記処理済パラメータの相対値を基に役員会および／または役員会メンバーのグループ
をランク付けすることを含み、
前記ユーザインタフェースを作成することは、前記役員会および／または役員会メンバ
のグループの前記処理済パラメータを表示してランキングを示す請求項２１または請求項
２２に記載の会社の役員会データの処理方法。
【請求項２５】
前記役員会または役員会メンバーのグループは、ピアグループとして指定された、ユー
ザが選択した、および／または事前に定義された役員会または役員会メンバーのグループ
を含む請求項２１ないし２４のいずれか１項に記載の会社の役員会データの処理方法。
【請求項２６】
ピアグループに含める少なくとも１つの役員会および／または少なくとも１人の役員会
メンバーのユーザ選択を受け入れることをさらに含み、
前記役員会または役員会メンバーのグループは、ピアグループとして指定された、ユー
ザが選択した役員会または役員会メンバーのグループを含み、
ピアグループの構成要素のパラメータが処理されて、単数または複数のピアグループパ
ラメータ総計、単数または複数のピアグループパラメータ平均値および単数または複数の
ピアグループパラメータ偏差値の少なくとも１つが求められ、
前記ユーザインタフェースは、前記処理済ピアグループパラメータの少なくとも１つを
表示する請求項２１または請求項２５に記載の会社の役員会データの処理方法。
【請求項２７】
少なくとも１つの役員会のピアグループと比較する少なくとも１つの役員会のユーザ選
択を受け入れることをさらに含み、前記ユーザインタフェースは、前記少なくとも１つの
選択された役員会のメンバーに関連する前記パラメータを表示して、前記役員会を分析対
象とすることを可能にする請求項２６に記載の会社の役員会データの処理方法。
【請求項２８】
前記ユーザインタフェースは、前記少なくとも１つの選択された役員会の個々のメンバ
ーに関連する前記パラメータを表示する請求項２６または請求項２７に記載の会社の役員
会データの処理方法。
【請求項２９】
前記役員会メンバーのピアグループと比較する少なくとも１人の役員会メンバーのユー
ザ選択を受け入れることをさらに含み、前記ユーザインタフェースは、前記少なくとも１
人の選択された役員会メンバーに関連する前記パラメータを表示して、前記少なくとも１
人の選択された役員会メンバーを分析対象とすることを可能にする請求項２６に記載の会
社の役員会データの処理方法。
【請求項３０】
単数または複数のユーザが選択したピアグループのデータを記憶することをさらに含み
、
前記ユーザインタフェースは、前記記憶されているピアグループデータを基に既存のピ
アグループのリストを表示し、
前記リストからの単数または複数のピアグループのユーザ選択が受け入れられ、
前記ユーザインタフェースは、前記選択されたピアグループの少なくとも１つについて
前記処理済パラメータの少なくとも１つを表示する請求項２６ないし２９のいずれか１項
に記載の会社の役員会データの処理方法。
【請求項３１】
ピアグループの構成要素に対するユーザ修正を受け入れることをさらに含む請求項２６
ないし３０のいずれか１項に記載の会社の役員会データの処理方法。
【請求項３２】
あるピアグループの単数または複数の構成要素を別のピアグループにコピーするユーザ
命令を受け入れることをさらに含む請求項３１に記載の会社の役員会データの処理方法。
【請求項３３】
特定の会社または役員会メンバーの名前をユーザからの入力として受け入れること、お
よび複数の役員会の役員会メンバーに関連する前記パラメータ中の特定の役員会を検索す
ることをさらに含む請求項２６ないし３２のいずれか１項に記載の会社の役員会データの
処理方法。
【請求項３４】
事前に定義されたリストからの単数または複数のパラメータのユーザ選択を受け入れる
こと、および複数の役員会の役員会メンバーに関連する前記パラメータ中の特定の役員会
を検索することをさらに含む請求項３３に記載の会社の役員会データの処理方法。
【請求項３５】
ピアグループを構成する役員会および／または役員会メンバーの事前に定義されたグル
ープおよび前記ピアグループに関連するパラメータを記憶することをさらに含み、
前記ユーザインタフェースは、前記事前に定義されたピアグループのリストを表示し、
なお、前記リストからの単数または複数の前記事前に定義されたピアグループのユーザ
選択を受け入れることをさらに含み、
前記ユーザインタフェースは、前記選択された事前に定義されたピアグループについて
前記記憶されている事前に定義されたピアグループ関連パラメータの少なくとも１つを表
示する請求項１９ないし３４のいずれか１項に記載の会社の役員会データの処理方法。
【請求項３６】
前記記憶されている事前に定義されたピアグループ関連パラメータは、単数または複数
のグループパラメータ総計、単数または複数のグループパラメータ平均値および単数また
は複数のグループパラメータ偏差値の少なくとも１つに関連する請求項３５に記載の会社
の役員会データの処理方法。
【請求項３７】
会社の役員会データの処理システムであって、プロセッサが実行可能な命令を記憶する
プログラムメモリと、
前記プログラムメモリに記憶されている前記命令を読み取って実行するプロセッサと、
を備え、
前記プログラムメモリに記憶されている前記命令は、請求項１９ないし３６のいずれか
１項に記載の方法を実行する前記プロセッサを制御する命令を含む、会社の役員会データ
の処理システム。
【請求項３８】
請求項１９ないし３６のいずれか１項に記載の方法を実行するコンピュータを制御する
、コンピュータが読み取り可能な命令を搬送するキャリア媒体。
【請求項３９】
会社の役員会データの処理システムであって、
複数の役員会の役員会メンバーに関連するパラメータを記憶する役員会メンバーストア
と、
ピアグループに含める少なくとも１つの役員会および／または少なくとも１人の役員会
メンバーのユーザ選択を受け入れるユーザセレクタ手段と、
ピアグループの構成要素のパラメータを処理して、単数または複数のピアグループパラ
メータ総計、単数または複数のピアグループパラメータ平均値および単数または複数のピ
アグループパラメータ偏差値の少なくとも１つを求めるパラメータプロセッサと、
前記処理済ピアグループパラメータの少なくとも１つを出力する出力手段と、を備える
、会社の役員会データの処理システム。
【請求項４０】
前記ユーザセレクタ手段は、前記役員会のピアグループの少なくとも１つと比較する少
なくとも１つの役員会のユーザ選択を受け入れるようになっており、前記出力手段は、前
記少なくとも１つの選択された役員会のメンバーに関連する前記パラメータを出力して、
前記または各役員会を分析対象とすることを可能にするように適合されている請求項３９
に記載の会社の役員会データの処理システム。
【請求項４１】
前記出力手段は、前記または各選択された役員会の個々のメンバーに関連する前記パラ
メータを出力するように適合されている請求項３９または請求項４０に記載の会社の役員
会データの処理システム。
【請求項４２】
前記ユーザセレクタ手段は、前記役員会メンバーのピアグループと比較する少なくとも
１人の役員会メンバーのユーザ選択を受け入れるようになっており、前記出力手段は、前
記少なくとも１人の役員会メンバーに関連する前記パラメータを出力して、前記または各
役員会メンバーを分析対象とすることを可能にするように適合されている請求項３９に記
載の会社の役員会データの処理システム。
【請求項４３】
単数または複数のユーザが選択したピアグループのデータを記憶するピアグループデー
タストアをさらに備え、
前記出力手段は、前記記憶されているピアグループデータを基に既存のピアグループの
リストを出力するように適合されており、
前記ユーザセレクタ手段は、前記リストからの単数または複数のピアグループのユーザ
選択を受け入れるようになっており、
前記出力手段は、前記選択されたピアグループについて前記処理済パラメータの少なく
とも１つを出力するように適合されている請求項３９ないし４２のいずれか１項に記載の
会社の役員会データの処理システム。
【請求項４４】
ユーザが前記ピアグループの構成要素を修正することを可能にする比較グループ修正手
段をさらに備える請求項３９ないし４３のいずれか１項に記載の会社の役員会データの処
理システム。
【請求項４５】
前記比較グループ修正手段は、ユーザがあるピアグループの単数または複数の構成要素
を別のピアグループにコピーすることを可能にするように適合されている請求項４４に記
載の会社の役員会データの処理システム。
【請求項４６】
ユーザが特定の会社または役員会メンバーの名前を入力することによって前記役員会メ
ンバーストア中の特定の役員会および／または役員会メンバーを検索することを可能にす
るようになっている検索手段をさらに備える請求項３９ないし４５のいずれか１項に記載
の会社の役員会データの処理システム。
【請求項４７】
前記検索手段は、ユーザが事前に定義されたリストから単数または複数のパラメータを
選択することによって前記役員会メンバーストア中の特定の役員会および／または役員会
メンバーを検索することを可能にするように適合されている請求項４６に記載の会社の役
員会データの処理システム。
【請求項４８】
ピアグループを構成する役員会および／または役員会メンバーの事前に定義されたグル
ープおよび前記ピアグループに関連するパラメータを記憶するストアをさらに備え、
前記出力手段は、前記事前に定義されたピアグループのリストを出力するように適合さ
れており、
前記ユーザセレクタ手段は、前記リストからの単数または複数の前記事前に定義された
ピアグループのユーザ選択を受け入れるようになっており、
前記出力手段は、前記選択された事前に定義されたピアグループについて前記記憶され
ている事前に定義されたピアグループ関連パラメータの少なくとも１つを出力するように
適合されている請求項３９ないし４７のいずれか１項に記載の会社の役員会データの処理
システム。
【請求項４９】
前記記憶されている事前に定義されたピアグループ関連パラメータは、単数または複数
のピアグループパラメータ総計、単数または複数のピアグループパラメータ平均値および
単数または複数のピアグループパラメータ偏差値の少なくとも１つに関連する請求項４８
に記載の会社の役員会データの処理システム。
【請求項５０】
会社の役員会データの処理方法であって、
複数の役員会の役員会メンバーに関連するパラメータを記憶すること、
ピアグループに含める少なくとも１つの役員会および／または少なくとも１人の役員会
メンバーのユーザ選択を受け入れること、
ピアグループの構成要素のパラメータを処理することであって、それによって、単数ま
たは複数のピアグループパラメータ総計、単数または複数のピアグループパラメータ平均
値および単数または複数のピアグループパラメータ偏差値の少なくとも１つを求める、処
理すること、および
前記処理済ピアグループパラメータの少なくとも１つを出力すること、を含む、会社の
役員会データの処理方法。
【請求項５１】
前記役員会関連ピアグループの少なくとも１つと比較する単数または複数の役員会のユ
ーザ選択を受け入れることをさらに含み、前記役員会のメンバーに関連する前記パラメー
タが出力されて、前記役員会を分析対象とすることを可能にする請求項５０に記載の会社
の役員会データの処理方法。
【請求項５２】
前記または各選択された役員会の個々のメンバーに関連する前記パラメータが出力され
る請求項５０または請求項５１に記載の会社の役員会データの処理方法。
【請求項５３】
前記役員会メンバー関連ピアグループと比較する単数または複数の役員会メンバーのユ
ーザ選択を受け入れることをさらに含み、前記役員会メンバーに関連する前記パラメータ
が出力されて、前記役員会メンバーを分析対象とすることを可能にする請求項５０に記載
の会社の役員会データの処理方法。
【請求項５４】
単数または複数のユーザが選択したピアグループのデータを記憶すること、
前記記憶されているピアグループデータを基に既存のピアグループのリストを出力する
こと、
前記リストからの単数または複数のピアグループのユーザ選択を受け入れること、およ
び
前記選択されたピアグループについて前記処理済パラメータの少なくとも１つを出力す
ること、をさらに含む請求項５０ないし５３のいずれか１項に記載の会社の役員会データ
の処理方法。
【請求項５５】
前記ピアグループの構成要素に対するユーザ修正を受け入れることをさらに含む請求項
５０ないし５４のいずれか１項に記載の会社の役員会データの処理方法。
【請求項５６】
あるピアグループの単数または複数の構成要素を別のピアグループにコピーするユーザ
命令を受け入れることをさらに含む請求項５５に記載の会社の役員会データの処理方法。
【請求項５７】
特定の会社または役員会メンバーの名前をユーザからの入力として受け入れること、お
よび複数の役員会の役員会メンバーに関連する前記パラメータ中の特定の役員会および／
または役員会メンバーを検索することをさらに含む請求項５０ないし５６のいずれか１項
に記載の会社の役員会データの処理方法。
【請求項５８】
事前に定義されたリストからの単数または複数のパラメータのユーザ選択を受け入れる
こと、および複数の役員会の役員会メンバーに関連する前記パラメータ中の特定の役員会
および／または役員会メンバーを検索することをさらに含む請求項５７に記載の会社の役
員会データの処理方法。
【請求項５９】
ピアグループを構成する役員会および／または役員会メンバーの事前に定義されたグル
ープおよび前記ピアグループに関連するパラメータを記憶すること、
前記事前に定義されたピアグループのリストを出力すること、
前記リストからの単数または複数の前記事前に定義されたピアグループのユーザ選択を
受け入れること、および
前記選択された事前に定義されたピアグループの前記記憶されている事前に定義された
ピアグループ関連パラメータの少なくとも１つを出力すること、をさらに含む請求項５０
ないし５８のいずれか１項に記載の会社の役員会データの処理方法。
【請求項６０】
前記記憶されている事前に定義されたピアグループ関連パラメータは、単数または複数
のピアグループパラメータ総計、単数または複数のピアグループパラメータ平均値および
単数または複数のピアグループパラメータ偏差値の少なくとも１つに関連する請求項５９
に記載の会社の役員会データの処理方法。
【請求項６１】
会社の役員会データの処理システムであって、プロセッサが実行可能な命令を記憶する
プログラムメモリと、
前記プログラムメモリに記憶されている前記命令を読み取って実行するプロセッサと、
を備え、
前記プログラムメモリに記憶されている前記命令は、請求項５０ないし６０のいずれか
１項に記載の方法を実行する前記プロセッサを制御する命令を含む、会社の役員会データ
の処理システム。
【請求項６２】
請求項５０ないし６０のいずれか１項に記載の方法を実行する、コンピュータが読み取
り可能なコンピュータを制御する命令を搬送するキャリア媒体。
【請求項６３】
会社の役員会データの処理システムであって、
ピアグループを構成する役員会および／または役員会メンバーの事前に定義されたグル
ープおよび前記ピアグループに関連する事前に定義されたパラメータを記憶するストアと
、
前記ピアグループのリストを出力する出力手段と、
前記リストからの単数または複数の前記ピアグループのユーザ選択を受け入れるユーザ
セレクタ手段と、を備え、
前記出力手段は、前記または各選択されたピアグループの前記事前に定義されたパラメ
ータの少なくとも１つを出力するように適合されている、会社の役員会データの処理シス
テム。
【請求項６４】
前記事前に定義されたパラメータは、単数または複数のピアグループパラメータ総計、
単数または複数のピアグループパラメータ平均値および単数または複数のピアグループパ
ラメータ偏差値の少なくとも１つに関連する請求項６３に記載の会社の役員会データの処
理システム。
【請求項６５】
ピアグループの構成要素のパラメータを処理して、単数または複数のピアグループパラ
メータ総計、単数または複数のピアグループパラメータ平均値および／または単数または
複数のピアグループパラメータ偏差値の少なくとも１つを求めるパラメータプロセッサを
さらに備え、前記出力手段は、前記処理済パラメータのいずれかを出力するように適合さ
れている請求項６３または請求項６４に記載の会社の役員会データの処理システム。
【請求項６６】
前記ストアは、複数の役員会の役員会メンバーに関連するパラメータを記憶し、
前記ユーザセレクタ手段は、いずれかの前記役員会のピアグループと比較する単数また
は複数の前記役員会のユーザ選択を受け入れるようになっており、
前記出力手段は、前記役員会の各メンバーの前記役員会メンバーパラメータを個別に出
力し、前記役員会を分析対象とすることを可能にするように適合されている請求項６３な
いし６５のいずれか１項に記載の会社の役員会データの処理システム。
【請求項６７】
前記ユーザセレクタ手段は、いずれかの前記役員会メンバーのピアグループと比較する
少なくとも１人の役員会メンバーのユーザ選択を受け入れるようになっており、前記出力
手段は、前記少なくとも１人の役員会メンバーの前記パラメータを出力して、前記または
各役員会メンバーを分析対象とすることを可能にするように適合されている請求項６３な
いし６５のいずれか１項に記載の会社の役員会データの処理システム。
【請求項６８】
ユーザが前記ピアグループの構成要素を修正することを可能にする比較グループ修正手
段をさらに備える請求項６３ないし６７のいずれか１項に記載の会社の役員会データの処
理システム。
【請求項６９】
前記比較グループ修正手段は、ユーザが１つの前記ピアグループの単数または複数の構
成要素を別の前記ピアグループにコピーすることを可能にするように適合されている請求
項６８に記載の会社の役員会データの処理システム。
【請求項７０】
会社の役員会データの処理方法であって、
ピアグループを構成する役員会および／または役員会メンバーの事前に定義されたグル
ープおよび前記ピアグループに関連する事前に定義されたパラメータを記憶すること、
前記ピアグループのリストを出力すること、
前記リストからの単数または複数の前記ピアグループのユーザ選択を受け入れること、
および
前記または各選択されたピアグループの前記事前に定義されたパラメータの少なくとも
１つを出力すること、を含む、会社の役員会データの処理方法。
【請求項７１】
前記事前に定義されたパラメータは、単数または複数のピアグループパラメータ総計、
単数または複数のピアグループパラメータ平均値および単数または複数のピアグループパ
ラメータ偏差値の少なくとも１つに関連する請求項７０に記載の会社の役員会データの処
理方法。
【請求項７２】
ピアグループの構成要素のパラメータを処理することであって、それによって、単数ま
たは複数のピアグループパラメータ総計、単数または複数のピアグループパラメータ平均
値および／または単数または複数のピアグループパラメータ偏差値の少なくとも１つを求
める、処理することをさらに含み、前記処理済パラメータのいずれかが出力される請求項
７０または請求項７１に記載の会社の役員会データの処理方法。
【請求項７３】
複数の役員会の役員会メンバーに関連するパラメータを記憶すること、
いずれかの前記役員会のピアグループと比較する少なくとも１つの前記役員会のユーザ
選択を受け入れること、および
前記少なくとも１つの役員会の各メンバーの前記役員会メンバーパラメータを個別に出
力することであって、それによって前記または各役員会を分析対象とすることを可能にす
る、出力すること、をさらに含む請求項７０ないし７２のいずれか１項に記載の会社の役
員会データの処理方法。
【請求項７４】
いずれかの前記役員会メンバーのピアグループと比較する単数または複数の役員会メン
バーのユーザ選択を受け入れること、および前記役員会メンバーの前記パラメータを出力
することであって、それによって前記役員会メンバーを分析対象とすることを可能にする
、出力すること、をさらに含む請求項７０ないし７２のいずれか１項に記載の会社の役員
会データの処理方法。
【請求項７５】
前記ピアグループの構成要素のユーザ修正を受け入れることをさらに含む請求項７０な
いし７３のいずれか１項に記載の会社の役員会データの処理方法。
【請求項７６】
１つの前記ピアグループの単数または複数の構成要素を別の前記ピアグループにコピー
する命令をユーザから受け入れることをさらに含む請求項７５に記載の会社の役員会デー
タの処理方法。
【請求項７７】
会社の役員会データの処理システムであって、プロセッサが実行可能な命令を記憶する
プログラムメモリと、
前記プログラムメモリに記憶されている前記命令を読み取って実行するプロセッサと、
を備え、
前記プログラムメモリに記憶されている前記命令は、請求項７０ないし７６のいずれか
１項に記載の方法を実行する前記プロセッサを制御する命令を含む、会社の役員会データ
の処理システム。
【請求項７８】
請求項７０ないし７６のいずれか１項に記載の方法を実行するコンピュータを制御する
、コンピュータが読み取り可能な命令を搬送するキャリア媒体。
【請求項７９】
会社の役員会データの処理システムであって、
複数の役員会メンバーについて役員会メンバー関連パラメータを記憶する役員会メンバ
ーストアと、
前記役員会メンバー関連パラメータの、事前に定義されたパラメータからの偏差値を求
めるパラメータ偏差値算出手段と、
前記求めた偏差値に応じて強調表示された前記役員会メンバー関連パラメータの少なく
とも１つを表示するユーザインタフェースを作成するユーザインタフェースジェネレータ
と、を備える、会社の役員会データの処理システム。
【請求項８０】
前記ユーザインタフェースジェネレータは、前記役員会メンバー関連パラメータの各々
を複数の色の１つで強調表示するようになっており、前記色は前記求めた偏差値の相対値
に関連する請求項７９に記載の会社の役員会データの処理システム。
【請求項８１】
前記役員会メンバー関連パラメータは、複数の前記役員会メンバーの単数または複数の
パラメータ総計、単数または複数のパラメータ平均値および／または単数または複数のパ
ラメータ偏差値に関連する請求項７９または請求項８０に記載の会社の役員会データの処
理システム。
【請求項８２】
前記事前に定義されたパラメータは、ピアグループを構成する前記役員会メンバーのグ
ループに関連する請求項７９ないし８１のいずれか１項に記載の会社の役員会データの処
理システム。
【請求項８３】
前記事前に定義されたパラメータは、前記ピアグループのメンバーの前記パラメータの
単数または複数の総計、単数または複数の平均値および単数または複数の偏差値の少なく
とも１つに関連する請求項８２に記載の会社の役員会データの処理システム。
【請求項８４】
パラメータを処理して、前記事前に定義されたパラメータの単数または複数の総計、単
数または複数の平均値および単数または複数の偏差値の少なくとも１つを求めるパラメー
タプロセッサをさらに備え、前記ユーザインタフェースジェネレータは、前記処理済パラ
メータを表示する前記ユーザインタフェースを作成するように適合されている請求項７９
ないし８３のいずれか１項に記載の会社の役員会データの処理システム。
【請求項８５】
前記パラメータ偏差値算出手段は、前記役員会メンバー関連パラメータが前記事前に定
義されたパラメータと異なる標準偏差の数として前記偏差値を求めるように適合されてい
る請求項７９ないし８４のいずれか１項に記載の会社の役員会データの処理システム。
【請求項８６】
前記ユーザインタフェースジェネレータは、前記役員会メンバー関連パラメータまたは
前記事前に定義されたパラメータをそれぞれ含む複数のセルを含むデータ表を表示するユ
ーザインタフェースを作成するように適合されており、また、前記役員会メンバー関連パ
ラメータを含む前記セルを前記求めた偏差値に応じて強調表示するように適合されている
請求項７９ないし８５のいずれか１項に記載の会社の役員会データの処理システム。
【請求項８７】
前記ユーザインタフェースジェネレータは、前記セルの各々を複数の色の１つで強調表
示するようになっており、前記色は前記求めた偏差値の相対値に関連する請求項８６に記
載の会社の役員会データの処理システム。
【請求項８８】
前記事前に定義されたパラメータは、ピアグループに設定された、ユーザが選択した、
および／または事前に定義された役員会メンバーのグループに関連する請求項７９ないし
８７のいずれか１項に記載の会社の役員会データの処理システム。
【請求項８９】
ピアグループに含める少なくとも１つの役員会および／または少なくとも１人の役員会
メンバーのユーザ選択を受け入れるユーザセレクタ手段と、
ピアグループの構成要素のパラメータを処理して、前記事前に定義されたパラメータを
単数または複数のピアグループパラメータ総計、単数または複数のピアグループパラメー
タ平均値および単数または複数のピアグループパラメータ偏差値の少なくとも１つとして
求めるパラメータプロセッサと、をさらに備える請求項８８に記載の会社の役員会データ
の処理システム。
【請求項９０】
前記ユーザセレクタ手段は、前記役員会関連ピアグループの少なくとも１つと比較する
単数または複数の役員会のユーザ選択を受け入れるようになっており、前記ユーザインタ
フェースジェネレータは、前記求めた偏差値に応じて強調表示された前記役員会のメンバ
ーに関連する前記パラメータを表示する前記ユーザインタフェースを作成して、前記役員
会を分析対象とすることを可能にするように適合されている請求項８９に記載の会社の役
員会データの処理システム。
【請求項９１】
前記ユーザインタフェースジェネレータは、前記求めた偏差値に応じて強調表示された
前記または各選択された役員会の個々のメンバーに関連する前記パラメータを表示するユ
ーザインタフェースを作成するように適合されている請求項８９または請求項９０に記載
の会社の役員会データの処理システム。
【請求項９２】
前記ユーザセレクタ手段は、前記役員会メンバーのピアグループと比較する少なくとも
１人の役員会メンバーのユーザ選択を受け入れるようになっており、前記ユーザインタフ
ェースジェネレータは、前記求めた偏差値に応じて強調表示された前記少なくとも１人の
役員会メンバーに関連する前記パラメータを表示する前記ユーザインタフェースを作成し
て、前記または各役員会メンバーを分析対象とすることを可能にするように適合されてい
る請求項８９に記載の会社の役員会データの処理システム。
【請求項９３】
単数または複数のユーザが選択したピアグループのデータを記憶するピアグループデー
タストアをさらに備え、
前記ユーザインタフェースジェネレータは、前記記憶されているピアグループデータを
基に既存のピアグループのリストを表示するユーザインタフェースを作成するように適合
されており、
前記ユーザセレクタ手段は、前記リストからの単数または複数のピアグループのユーザ
選択を受け入れるようになっており、
前記ユーザインタフェースジェネレータは、前記求めた偏差値に応じて強調表示された
前記選択されたピアグループの少なくとも１つについて前記処理済パラメータの少なくと
も１つを表示する前記ユーザインタフェースを作成するように適合されている請求項８９
ないし９２のいずれか１項に記載の会社の役員会データの処理システム。
【請求項９４】
ユーザがピアグループの構成要素を修正することを可能にする比較グループ修正手段を
さらに備える請求項８９ないし９３のいずれか１項に記載の会社の役員会データの処理シ
ステム。
【請求項９５】
前記比較グループ修正手段は、ユーザがあるピアグループの単数または複数の構成要素
を別のピアグループにコピーすることを可能にするように適合されている請求項９４に記
載の会社の役員会データの処理システム。
【請求項９６】
ユーザが特定の会社または役員会メンバーの名前を入力することによって前記役員会メ
ンバーストア中の特定の役員会を検索することを可能にするようになっている検索手段を
さらに備える請求項８９ないし９５のいずれか１項に記載の会社の役員会データの処理シ
ステム。
【請求項９７】
前記検索手段は、ユーザが事前に定義されたリストから単数または複数のパラメータを
選択することによって前記役員会メンバーストア中の特定の役員会を検索することを可能
にするように適合されている請求項９６に記載の会社の役員会データの処理システム。
【請求項９８】
ピアグループを構成する役員会および／または役員会メンバーの事前に定義されたグル
ープおよび前記ピアグループに関連するパラメータを記憶するストアをさらに備え、
前記ユーザインタフェースジェネレータは、前記事前に定義されたピアグループのリス
トを表示するユーザインタフェースを作成するように適合されており、
なお、前記リストからの単数または複数の前記事前に定義されたピアグループのユーザ
選択を受け入れるようになっているグループ毎のユーザセレクタ手段を含み、
前記ユーザインタフェースジェネレータは、前記選択された事前に定義されたピアグル
ープについて前記記憶されている事前に定義されたピアグループ関連パラメータの少なく
とも１つを表示するユーザインタフェースを作成するように適合されている請求項８９な
いし９７のいずれか１項に記載の会社の役員会データの処理システム。
【請求項９９】
前記記憶されている事前に定義されたピアグループ関連パラメータは、単数または複数
のグループパラメータ総計、単数または複数のグループパラメータ平均値および単数また
は複数のグループパラメータ偏差値の少なくとも１つに関連する請求項９８に記載の会社
の役員会データの処理システム。
【請求項１００】
会社の役員会データの処理方法であって、
複数の役員会メンバーについて役員会メンバー関連パラメータを記憶すること、
前記役員会メンバー関連パラメータの、事前に決められたパラメータからの偏差値を求
めること、および
前記求めた偏差値に応じて強調表示された前記役員会メンバー関連パラメータの少なく
とも１つを表示するユーザインタフェースを作成すること、を含む、会社の役員会データ
の処理方法。
【請求項１０１】
前記ユーザインタフェースは、前記役員会メンバー関連パラメータの各々を複数の色の
１つで強調表示するように作成され、前記色は前記求めた偏差値の相対値に関連する請求
項１００に記載の会社の役員会データの処理方法。
【請求項１０２】
前記役員会メンバー関連パラメータは、複数の前記役員会メンバーの単数または複数の
パラメータ総計、単数または複数のパラメータ平均値および／または単数または複数のパ
ラメータ偏差値に関連する請求項１００または請求項１０１に記載の会社の役員会データ
の処理方法。
【請求項１０３】
前記事前に決められたパラメータは、ピアグループを構成する前記役員会メンバーのグ
ループに関連する請求項１００ないし１０２のいずれか１項に記載の会社の役員会データ
の処理方法。
【請求項１０４】
前記事前に決められたパラメータは、前記ピアグループの前記メンバーの前記パラメー
タの単数または複数の総計、単数または複数の平均値および単数または複数の偏差値の少
なくとも１つに関連する請求項１０３に記載の会社の役員会データの処理方法。
【請求項１０５】
パラメータを処理することであって、それによって、前記事前に決められたパラメータ
の単数または複数の総計、単数または複数の平均値および単数または複数の偏差値の少な
くとも１つを求める、処理することをさらに含み、前記ユーザインタフェースは前記処理
済パラメータを表示する請求項１００ないし１０４のいずれか１項に記載の会社の役員会
データの処理方法。
【請求項１０６】
前記求めた偏差値は、前記役員会メンバー関連パラメータが前記事前に決められたパラ
メータと異なる標準偏差の数を含む請求項１００ないし１０５のいずれか１項に記載の会
社の役員会データの処理方法。
【請求項１０７】
前記ユーザインタフェースは、前記役員会メンバー関連パラメータまたは前記事前に決
められたパラメータをそれぞれ含む複数のセルを含むデータ表を表示し、前記役員会メン
バー関連パラメータを含む前記セルは前記求めた偏差値に応じて強調表示される請求項１
００ないし１０６のいずれか１項に記載の会社の役員会データの処理方法。
【請求項１０８】
前記ユーザインタフェースは、前記セルの各々を複数の色の１つで強調表示し、前記色
は前記求めた偏差値の相対値に関連する請求項１０７に記載の会社の役員会データの処理
方法。
【請求項１０９】
前記事前に決められたパラメータは、ピアグループに設定された、ユーザが選択した、
および／または事前に定義された役員会メンバーのグループに関連する請求項１００ない
し１０８のいずれか１項に記載の会社の役員会データの処理方法。
【請求項１１０】
ピアグループに含める少なくとも１つの役員会および／または少なくとも１人の役員会
メンバーのユーザ選択を受け入れること、および
ピアグループの構成要素のパラメータを処理することであって、それによって、前記事
前に決められたパラメータを単数または複数のピアグループパラメータ総計、単数または
複数のピアグループパラメータ平均値および単数または複数のピアグループパラメータ偏
差値の少なくとも１つとして求める、処理すること、をさらに含む請求項１０９に記載の
会社の役員会データの処理方法。
【請求項１１１】
前記役員会関連ピアグループの少なくとも１つと比較する単数または複数の役員会のユ
ーザ選択が受け入れられ、前記ユーザインタフェースは、前記求めた偏差値に応じて強調
表示された前記役員会のメンバーに関連する前記パラメータを表示して、前記役員会を分
析対象とすることを可能にする請求項１１０に記載の会社の役員会データの処理方法。
【請求項１１２】
前記ユーザインタフェースは、前記求めた偏差値に応じて強調表示された前記または各
選択された役員会の個々のメンバーに関連する前記パラメータを表示する請求項１１０ま
たは請求項１１１に記載の会社の役員会データの処理方法。
【請求項１１３】
前記役員会メンバーのピアグループと比較する少なくとも１人の役員会メンバーのユー
ザ選択が受け入れられ、前記ユーザインタフェースは、前記求めた偏差値に応じて強調表
示された前記少なくとも１人の役員会メンバーに関連する前記パラメータを表示して、前
記または各役員会メンバーを分析対象とすることを可能にするように適合されている請求
項１１０に記載の会社の役員会データの処理方法。
【請求項１１４】
単数または複数のユーザが選択したピアグループのデータをピアグループデータストア
に記憶することをさらに含み、
前記ユーザインタフェースは、前記記憶されているピアグループデータを基に既存のピ
アグループのリストを表示し、
前記リストからの単数または複数のピアグループのユーザ選択が受け入れられ、
前記ユーザインタフェースは、前記求めた偏差値に応じて強調表示された前記選択され
たピアグループの少なくとも１つについて前記処理済パラメータの少なくとも１つを表示
する請求項１１０ないし１１３のいずれか１項に記載の会社の役員会データの処理方法。
【請求項１１５】
ピアグループの構成要素のユーザ修正を受け入れることをさらに含む請求項１１０ない
し１１４のいずれか１項に記載の会社の役員会データの処理方法。
【請求項１１６】
あるピアグループの単数または複数の構成要素を別のピアグループにコピーする命令が
ユーザから受け入れられる請求項１１５に記載の会社の役員会データの処理方法。
【請求項１１７】
特定の会社または役員会メンバーの名前をユーザから受け入れることであって、それに
よって、前記複数の役員会の役員会メンバーに関連する前記パラメータ中の特定の役員会
を検索する、受け入れることをさらに含む請求項１１０ないし１１６のいずれか１項に記
載の会社の役員会データの処理方法。
【請求項１１８】
事前に定義されたリストからの単数または複数のパラメータのユーザ選択が受け入れら
れて、複数の役員会の役員会メンバーに関連する前記パラメータ中の特定の役員会が検索
される請求項１１７に記載の会社の役員会データの処理方法。
【請求項１１９】
ピアグループを構成する役員会および／または役員会メンバーの事前に定義されたグル
ープおよび前記ピアグループに関連するパラメータを記憶することをさらに含み、
前記ユーザインタフェースは、前記事前に定義されたピアグループのリストを表示する
ように作成され、
前記リストからの単数または複数の前記事前に定義されたピアグループのユーザ選択が
受け入れられ、
前記ユーザインタフェースは、前記選択された事前に定義されたピアグループについて
前記記憶されている事前に定義されたピアグループ関連パラメータの少なくとも１つを表
示するユーザインタフェースを作成する請求項１１０ないし１１８のいずれか１項に記載
の会社の役員会データの処理方法。
【請求項１２０】
前記記憶されている事前に定義されたピアグループ関連パラメータは、単数または複数
のグループパラメータ総計、単数または複数のグループパラメータ平均値および単数また
は複数のグループパラメータ偏差値の少なくとも１つに関連する請求項１１９に記載の会
社の役員会データの処理方法。
【請求項１２１】
会社の役員会データの処理システムであって、プロセッサが実行可能な命令を記憶する
プログラムメモリと、
前記プログラムメモリに記憶されている前記命令を読み取って実行するプロセッサと、
を備え、
前記プログラムメモリに記憶されている前記命令は、請求項１００ないし１２０のいず
れか１項に記載の方法を実行する前記プロセッサを制御する命令を含む、会社の役員会デ
ータの処理システム。
【請求項１２２】
請求項１００ないし１２０のいずれか１項に記載の方法を実行するコンピュータを制御
する、コンピュータが読み取り可能な命令を搬送するキャリア媒体。
【請求項１２３】
前記ユーザインタフェースジェネレータは、
比較目的で単数または複数の役員会および／または役員会メンバーについて単数または
複数の前記役員会メンバー関連パラメータの多軸プロットを作成および表示するようにな
っている、請求項１に記載の会社の役員会データの処理システム。
【請求項１２４】
複数の前記パラメータの単数または複数の総計、単数または複数の平均値および単数ま
たは複数の偏差値の少なくとも１つを基に前記多軸プロット上の少なくとも１つの軸のス
ケールを決定するプロセッサをさらに備え、前記ユーザインタフェースジェネレータは、
前記多軸プロット上の少なくとも１つの軸を前記決定したスケールに等しいスケールを用
いて表示するように適合されている請求項１２３に記載の会社の役員会データの処理シス
テム。
【請求項１２５】
前記プロセッサは、前記多軸プロット上の少なくとも１つの軸上に既に表示されている
少なくとも１つのパラメータの、前記グループまたは複数の役員会および／または役員会
メンバーの複数の前記記憶されているパラメータおよび／または前記処理済パラメータの
平均値からの事前に求められた偏差値レベルを基に前記少なくとも１つの軸のスケールを
決定するように適合されている請求項１２４に記載の会社の役員会データの処理システム
。
【請求項１２６】
前記プロセッサは、少なくとも１つのパラメータ軸上に表示されている少なくとも１つ
のパラメータの、前記グループまたは複数の役員会および／または役員会メンバーに関連
する複数の記憶されているパラメータおよび／または処理済パラメータの平均値からの−
ｎの標準偏差の最小軸値および＋ｍの標準偏差の最大軸値を求めることによって前記少な
くとも１つのパラメータ軸の前記スケールを決定するように適合されており、ここでｎお
よびｍは整数である請求項１２４または請求項１２５に記載の会社の役員会データの処理
システム。
【請求項１２７】
前記複数の役員会および／または役員会メンバーは、所定の事前に定義された地域から
の全ての前記役員会および／または役員会メンバーを含む請求項１２６に記載の会社の役
員会データの処理システム。
【請求項１２８】
前記ユーザインタフェースは、
比較目的で単数または複数の役員会および／または役員会メンバーについて単数または
複数の前記役員会メンバー関連パラメータの多軸プロットを表示する、請求項１９に記載
の会社の役員会データの処理方法。
【請求項１２９】
複数の前記パラメータの単数または複数の総計、単数または複数の平均値および単数ま
たは複数の偏差値の少なくとも１つを基に前記多軸プロット上の少なくとも１つ軸のスケ
ールを決定することをさらに含み、前記ユーザインタフェースは、前記多軸プロット上の
少なくとも１つの軸を前記決定したスケールに等しいスケールを用いて表示するように作
成される請求項１２８に記載の会社の役員会データの処理方法。
【請求項１３０】
前記多軸プロット上の少なくとも１つの軸上に既に表示されている少なくとも１つのパ
ラメータの、前記グループまたは複数の役員会および／または役員会メンバーの複数の前
記記憶されているパラメータおよび／または前記処理済パラメータの平均値からの事前に
求められた偏差レベルを基に前記少なくとも１つの軸のスケールが決定される請求項１２
９に記載の会社の役員会データの処理方法。
【請求項１３１】
少なくとも１つのパラメータ軸上に表示されている少なくとも１つのパラメータの、前
記グループまたは複数の役員会および／または役員会メンバーに関連する複数の記憶され
ているパラメータおよび／または処理済パラメータの平均値からの−ｎの標準偏差の最小
軸値および＋ｍの標準偏差の最大軸値を求めることによって前記少なくとも１つのパラメ
ータ軸の前記スケールが決定され、ここでｎおよびｍは整数である請求項１２９または請
求項１３０に記載の会社の役員会データの処理方法。
【請求項１３２】
前記複数の役員会および／または役員会メンバーは、所定の事前に定義された地域から
の全ての前記役員会および／または役員会メンバーを含む請求項１３１に記載の会社の役
員会データの処理方法。
【請求項１３３】
会社の役員会データの処理システムであって、プロセッサが実行可能な命令を記憶する
プログラムメモリと、
前記プログラムメモリに記憶されている前記命令を読み取って実行するプロセッサと、
を備え、
前記プログラムメモリに記憶されている前記命令は、請求項１２８ないし１３２のいず
れか１項に記載の方法を実行する前記プロセッサを制御する命令を含む、会社の役員会デ
ータの処理システム。
【請求項１３４】
請求項１２８ないし１３２のいずれか１項に記載の方法を実行するコンピュータを制御
する、コンピュータが読み取り可能な命令を搬送するキャリア媒体。
【請求項１３５】
複数の役員会の役員会メンバーに関連するパラメータを記憶する役員会メンバーストア
にアクセスするアクセス手段を備える、請求項１に記載の会社の役員会データの処理シス
テム。
【請求項１３６】
複数の役員会の役員会メンバーに関連するパラメータを記憶する役員会メンバーストア
にアクセスすることを含む、請求項１９に記載の会社の役員会データの処理方法。
【請求項１３７】
会社の役員会データの処理システムであって、
プロセッサが実行可能な命令を記憶するプログラムメモリと、
前記プログラムメモリに記憶されている前記命令を読み取って実行するプロセッサと、
を備え、
前記プログラムメモリに記憶されている前記命令は、請求項１３６に記載の方法を実行
する前記プロセッサを制御する命令を含む、会社の役員会データの処理システム。
【請求項１３８】
請求項１３６に記載の方法を実行するコンピュータを制御する、コンピュータが読み取
り可能な命令を搬送するキャリア媒体。
【請求項１３９】
会社の役員会データの処理システムであって、
少なくとも１人の役員会メンバーが、その役員会メンバーである会社において所有する
株式の数を記憶するストアと、
前記役員会メンバーが前記役員会のメンバーである前記会社の現在の株価を決定する手
段と、
前記株式の数および前記株価を処理して、前記役員会メンバーが保有する前記株式の価
値を決定し、少なくとも１人の前記役員会メンバーの財産指数の値を求めるプロセッサで
あって、該求めることは、前記株価が１パーセント上昇した場合に前記役員会メンバーの
前記会社に関連する財産の増加を含む、プロセッサと、
前記決定した財産指数の値の少なくとも１つを出力する出力手段と、を備える、会社の
役員会データの処理システム。
【請求項１４０】
会社の役員会データの処理方法であって、
少なくとも１人の役員会メンバーが、その役員会メンバーである会社において所有する
株式の数を記憶すること、
前記役員会メンバーが前記役員会のメンバーである前記会社の現在の株価を決定するこ
と、
前記株式の数および前記株価を処理することであって、それによって、前記役員会メン
バーが保有する前記株式の価値を決定する、処理すること、
少なくとも１人の前記役員会メンバーの財産指数を求めることであって、前記株価が１
パーセント上昇した場合に前記役員会メンバーの前記会社に関連する財産の増加を含む、
求めること、および
前記決定した財産指数の値の少なくとも１つを出力すること、を含む、会社の役員会デ
ータの処理方法。
【請求項１４１】
会社の役員会データの処理システムであって、
複数の役員会メンバーの履歴情報を記憶するストアであって、該履歴情報は、前記役員
会メンバーが以前に役員会メンバーであった会社に関する情報およびタイミング情報を含
む、ストアと、
会社の業績データを履歴データとともに、前記役員会メンバーが各会社に所属していた
時期を示すグラフとして示すグラフィック表示を作成して、ユーザが前記会社の業績を、
前記役員会メンバーが前記会社の役員会のメンバーであったかどうかと関連付けて理解す
ることを可能にするグラフィック表示デバイスと、を備える、会社の役員会データの処理
システム。
【請求項１４２】
創設された会社の役員会を分析するシステムであって、
複数の役員会メンバーに関連するパラメータを記憶するストアと、
少なくとも１つの創設された会社の役員会に含める少なくとも１人の役員会メンバーの
ユーザ選択を受け入れるユーザ選択手段と、
前記創設された会社の役員会の構成員について役員会パラメータを作成するパラメータ
プロセッサと、
前記役員会メンバーのパラメータおよび／または前記作成された役員会パラメータを出
力して、前記創設された役員会を分析対象とすることを可能にする出力手段と、を備える
、創設された会社の役員会を分析するシステム。
【請求項１４３】
創設された会社の役員会を分析する方法であって、
複数の役員会メンバーに関連するパラメータを記憶すること、
少なくとも１つの創設された会社の役員会に含める少なくとも１人の役員会メンバーの
ユーザ選択を受け入れること、
前記創設された会社の役員会の構成員について役員会パラメータを作成すること、およ
び
前記役員会メンバーのパラメータおよび／または前記作成された役員会パラメータを出
力することであって、それによって、前記創設された役員会を分析対象とすることを可能
にする、出力すること、を含む、創設された会社の役員会を分析する方法。
【請求項１４４】
創設された会社の役員会を分析するシステムであって、
プロセッサが実行可能な命令を記憶するプログラムメモリと、
前記プログラムメモリに記憶されている前記命令を読み取って実行するプロセッサと、
を備え、
前記プログラムメモリに記憶されている前記命令は、請求項１４３に記載の方法を実行
する前記プロセッサを制御する命令を含む、創設された会社の役員会を分析するシステム
。
【請求項１４５】
請求項１４３に記載の方法を実行するコンピュータを制御する、コンピュータが読み取
り可能な命令を搬送するキャリア媒体。
【請求項１４６】
役員会メンバーレベルの採用および分析ツールであって、
複数の役員会メンバーに関連するパラメータを記憶するストアと、
分析対象とする少なくとも１人の役員会メンバーのユーザ選択、および役員会メンバー
の分析において比較対象として用いる少なくとも１人の他の役員会メンバーのユーザ選択
を受け入れるユーザ選択手段と、
前記ユーザが選択した分析対象とする少なくとも１人の役員会メンバーおよび前記ユー
ザが選択した比較対象の少なくとも１人の役員会メンバーの前記パラメータを表示して、
採用に関連した該２セットのパラメータの比較を可能にするようになっている表示ジェネ
レータと、を備える、役員会メンバーレベルの採用および分析ツール。
【請求項１４７】
前記役員会メンバーパラメータを処理して、複数の前記ユーザが選択した役員会メンバ
ーについて単数または複数のパラメータ総計、単数または複数のパラメータ平均値および
単数または複数のパラメータ偏差値の少なくとも１つを求めるプロセッサ
をさらに備え、前記表示ジェネレータは、前記処理済パラメータを表示するように適合さ
れている請求項１４６に記載の役員会メンバーレベルの採用および分析ツール。
【請求項１４８】
役員会メンバーレベルの採用および分析方法であって、
複数の役員会メンバーに関連するパラメータを記憶すること、
分析対象とする少なくとも１人の役員会メンバーのユーザ選択、および役員会メンバー
の分析において比較対象として用いる少なくとも１人の他の役員会メンバーのユーザ選択
を受け入れること、および
前記ユーザが選択した分析対象とする少なくとも１人の役員会メンバーおよび前記ユー
ザが選択した比較対象の少なくとも１人の役員会メンバーの前記パラメータを表示するこ
とであって、それによって、採用に関連した該２セットのパラメータの比較を可能にする
、表示すること、を含む、役員会メンバーレベルの採用および分析方法。
【請求項１４９】
役員会メンバーレベルの採用および分析システムであって、
プロセッサが実行可能な命令を記憶するプログラムメモリと、
前記プログラムメモリに記憶されている前記命令を読み取って実行するプロセッサと、
を備え、
前記プログラムメモリに記憶されている前記命令は、前記プロセッサを制御する命令で
あって、
複数の役員会メンバーに関連するパラメータを記憶させ、
分析対象とする少なくとも１人の役員会メンバーのユーザ選択、および役員会メンバー
の分析において比較対象として用いる少なくとも１人の他の役員会メンバーのユーザ選択
を受け入れさせ、
前記ユーザが選択した分析対象とする少なくとも１人の役員会メンバーおよび前記ユー
ザが選択した比較対象の少なくとも１人の役員会メンバーの前記パラメータを表示させ、
採用に関連した該２セットのパラメータの比較を可能にする命令を含む役員会メンバーレ
ベルの採用および分析システム。
【請求項１５０】
会社の役員会データの処理システムであって、
複数の役員会メンバーについて役員会メンバーの名前を記憶する役員会メンバーストア
と、
前記役員会メンバー間の関連性を判断する関連性判断手段と、
前記役員会メンバーの名前および対応する該役員会メンバーの前記判断した関連性のリ
ストの少なくとも１つを表示するユーザインタフェースを作成するユーザインタフェース
ジェネレータと、を備える、会社の役員会データの処理システム。
【請求項１５１】
前記関連性判断手段は、２人の役員会メンバーがともに同一の２つまたはそれ以上の独
立した役員会を兼務している場合に該２人の役員会メンバー間に存在する関連性を判断す
るように適合されている請求項１５０に記載の会社の役員会データの処理システム。
【請求項１５２】
前記関連性判断手段は、１人の役員会メンバーが２つの役員会を同時に兼務している場
合に該２つの役員会間に存在する関連性を判断するように適合されている請求項１５０に
記載の会社の役員会データの処理システム。
【請求項１５３】
前記関連性判断手段は、２つまたはそれ以上の役員会およびまたは２人またはそれ以上
の役員会メンバー間の間接的な関連性を複数の他の関連性により判断するように適合され
ており、
前記ユーザインタフェースジェネレータは、少なくとも１つの役員会および／または少
なくとも１人の役員会メンバー、ならびに少なくとも１つの他の役員会および／または少
なくとも１人の他の役員会メンバーに対する前記判断した関連性のネットワークのリスト
を表示するユーザインタフェースを作成するように適合されている請求項１５０ないし１
５２のいずれか１項に記載の会社の役員会データの処理システム。
【請求項１５４】
前記ユーザインタフェースジェネレータは、前記記憶されている役員会メンバーデータ
を基に役員会メンバーおよび／または役員会のリストを表示するユーザインタフェースを
作成するように適合されており、
なお、前記リストからの２つまたはそれ以上の役員会および／または２人またはそれ以
上の役員会メンバーのユーザ選択を受け入れるユーザセレクタ手段をさらに備え、
前記ユーザインタフェースジェネレータは、前記役員会および／または役員会メンバー
の前記名前、ならびに前記役員会および／または役員会メンバー間の前記判断した関連性
のリストを表示するユーザインタフェースを作成するように適合されている請求項１５０
ないし１５２のいずれか１項に記載の会社の役員会データの処理システム。
【請求項１５５】
前記ユーザインタフェースジェネレータは、前記記憶されている役員会メンバーデータ
を基に役員会メンバーおよび／または役員会のリストを表示するユーザインタフェースを
作成するように適合されており、
なお、前記リストからの２つまたはそれ以上の役員会および／または２人またはそれ以
上の役員会メンバーのユーザ選択を受け入れるユーザセレクタ手段をさらに備え、
前記ユーザインタフェースジェネレータは、前記役員会および／または役員会メンバー
の前記名前、ならびに前記役員会および／または役員会メンバー間の前記判断した間接的
な関連性のリストを表示するユーザインタフェースを作成するように適合されている請求
項１５３に記載の会社の役員会データの処理システム。
【請求項１５６】
会社の役員会データの処理方法であって、
複数の役員会メンバーについて役員会メンバーの名前を記憶すること、
前記役員会メンバー間の関連性を判断すること、および
前記役員会メンバーの名前および対応する該役員会メンバーの前記判断した関連性のリ
ストの少なくとも１つを表示するユーザインタフェースを作成すること、を含む、会社の
役員会データの処理方法。
【請求項１５７】
前記関連性を判断することは、２人の役員会メンバーがともに同一の２つまたはそれ以
上の独立した役員会を兼務している場合に該２人の役員会メンバー間に存在する関連性を
判断することを含む請求項１５６に記載の会社の役員会データの処理方法。
【請求項１５８】
前記関連性を判断することは、１人の役員会メンバーが２つの役員会を同時に兼務して
いる場合に該２つの役員会間に存在する関連性を判断することを含む請求項１５６に記載
の会社の役員会データの処理方法。
【請求項１５９】
２つまたはそれ以上の役員会および／または２人またはそれ以上の役員会メンバー間の
間接的な関連性を複数の他の関連性により判断することをさらに含み、
前記ユーザインタフェースは、少なくとも１つの役員会および／または少なくとも１人
の役員会メンバー、ならびに少なくとも１つの他の役員会および／または少なくとも１人
の他の役員会メンバーに対する前記判断した関連性のネットワークのリストを表示する請
求項１５６ないし１５８のいずれか１項に記載の会社の役員会データの処理方法。
【請求項１６０】
前記ユーザインタフェースは、前記記憶されている役員会メンバーデータを基に役員会
メンバーおよび／または役員会のリストを表示し、
なお、前記リストからの２つまたはそれ以上の役員会および／または２人またはそれ以
上の役員会メンバーのユーザ選択を受け入れることをさらに含み、
前記ユーザ選択に応答して、前記ユーザインタフェースは、前記選択された役員会およ
び／または役員会メンバーの前記名前、ならびに前記役員会および／または役員会メンバ
ー間の前記判断した関連性のリストを表示する請求項１５６ないし１５８のいずれか１項
に記載の会社の役員会データの処理方法。
【請求項１６１】
前記ユーザインタフェースは、前記記憶されている役員会メンバーデータを基に役員会
メンバーおよび／または役員会のリストを表示し、
なお、前記リストからの２つまたはそれ以上の役員会および／または２人またはそれ以
上の役員会メンバーのユーザ選択を受け入れることをさらに含み、
前記ユーザ選択に応答して、前記ユーザインタフェースは、前記選択された役員会およ
び／または役員会メンバーの前記名前、ならびに前記役員会および／または役員会メンバ
ー間の前記判断した間接的な関連性のリストを表示する請求項１５９に記載の会社の役員
会データの処理方法。
【請求項１６２】
会社の役員会データの処理システムであって、プロセッサが実行可能な命令を記憶する
プログラムメモリと、
前記プログラムメモリに記憶されている前記命令を読み取って実行するプロセッサと、
を備え、
前記プログラムメモリに記憶されている前記命令は、請求項１５６ないし１６１のいず
れか１項に記載の方法を実行する前記プロセッサを制御する命令を含む、会社の役員会デ
ータの処理システム。
【請求項１６３】
請求項１５６ないし１６１のいずれか１項に記載の方法を実行するコンピュータを制御
する、コンピュータが読み取り可能な命令を搬送するキャリア媒体。
【請求項１６４】
請求項１ないし１８、３９ないし４９、６３ないし６９、７９ないし９９、１２３ない
し１２７、１３５、１３９、１４１、１４２、１５０ないし１５５のいずれか１項に記載
のシステム、または、請求項１４６もしくは１４７に記載のツールを用いた資金管理方法
。
【請求項１６５】
請求項１ないし１８、３９ないし４９、６３ないし６９、７９ないし９９、１２３ない
し１２７、１３５、１３９、１４１、１４２、１５０ないし１５５のいずれか１項に記載
のシステム、または、請求項１４６もしくは１４７に記載のツールを用いた役員会メンバ
ーの採用方法。